(57)【要約】【課題】  タグ部を切り離してもその部分が開口せず、前記タグ部の捕捉が容易でありながら他の物体との干渉による意図せぬ分断やパッケージ自体の変形や破損を防止し得る構造を持った包装用箱及びそのブランクシートの提供。【解決手段】  複数の仕切面に囲まれた閉鎖空間を備える包装用箱であって、前記複数の仕切面のいずれかに開封部を備え、前記複数の仕切面のいずれかに連続し当該仕切面との境界線αで折り返されて当該仕切面の裏側に重合する目隠し片１を備え、前記目隠し片１と重合する一面又は連続する複数の仕切面に当該仕切り面と前記目隠し片１との境界線αを始端とするタグ部Ｔを一体的に備え、前記タグ部Ｔの周囲に切込Ｓを備えることを特徴とする包装用箱とそのブランクシート。【選択図】      図１
2016043928.tif 000002
【特許請求の範囲】
【請求項１】
複数の仕切面に囲まれた閉鎖空間を備える包装用箱であって、
前記複数の仕切面のいずれかに開封部を備え、
前記複数の仕切面のいずれかに連続し当該仕切面との境界線で折り返されて当該仕切面の裏側に重合する目隠し片を備え、
前記目隠し片と重合する仕切面に当該仕切り面と前記目隠し片との境界線を始端とするタグ部を一体的に備え、
前記タグ部の周囲に切込を備えることを特徴とする包装用箱。
【請求項２】
前記タグ部は、前記目隠し片と当該目隠し片に連続する仕切面との境界部に、前記境界線と交差し且つ前記仕切面又は前記折重ね片に向けて凸となる弓状切込を備える前記請求項１に記載の包装用箱。
【請求項３】
閉鎖空間を構成する複数の仕切面と、
前記複数の仕切面のいずれかに連続し当該仕切面との境界線で折り返されて当該仕切面の裏側に重合する目隠し片と、
前記目隠し片の前記境界線側の内面に貼着される糊代片を備え、
前記目隠し片と重合する仕切面に当該仕切り面と前記目隠し片との境界線を始端とするタグ部を一体的に備え、
前記タグ部の周囲に切込を備えることを特徴とする包装用箱のブランクシート。
【請求項４】
前記タグ部は、前記目隠し片と当該目隠し片に連続する仕切面との境界部に、前記境界線と交差し且つ前記仕切面又は前記折重ね片に向けて凸となる弓状切込を備える前記請求項３に記載の包装用箱のブランクシート。
【発明の詳細な説明】
【技術分野】
【０００１】
本発明は、商品に関する情報を記すタグを一体的に備える包装用箱及びそのブランクシートに関する。
【背景技術】
【０００２】
医薬品などを内包する包装用箱の分野では、内容物を包装用箱から取り出し、例えば、ＰＴＰ（Press Through Package）シートの状態で調剤棚に保管する場合に、当該ＰＴＰシートを包装箱に印刷された情報と結びつけるため、包装箱の特定の部分をタグとして切り取り、当該ＰＴＰシートに添付し又は調剤棚所定の保管位置に貼り付けることが行われている。
この様な作業の便宜として、従来、内容物に関する情報を記したタグ部を一体的に含み且つ当該タグ部を取り外し容易とする構成を持つ包装用箱が、下記特許文献をはじめとして種々提供されている。
【先行技術文献】
【特許文献】
【０００３】
【特許文献１】実用新案公報第３１８４６０４号公報
【特許文献２】実用新案公報第３１７２０９９号公報
【発明の概要】
【発明が解決しようとする課題】
【０００４】
ところが、前記特許文献１に記載の技術は、タグ部を切り離すと、その領域が開放してしまい内部が露出すると言う問題がある。
前記特許文献２に記載の技術にあっては、内部が露出することはないものの、本来の構造上、当該タグ部の摘み部が補助タブの表面に密着していることから、意図的にタグ部を分断しようとする場合において、前記摘み部を前記補助タブの表面から離隔させることには困難が伴う。
そこで、当該特許文献２に記載の技術は、タグ部の摘み部分と本体部分との境にミシン目などの脆弱部を設けることで、前記本体部分に対する摘み部の前記補助タブからの引き離しを容易とする構造を採っている。
しかしながら、この構造は、前記タグ部の分断操作を容易にはしているものの、却ってタグ部の意図せぬ分断、又はそれに至らずとも、当該部分におけるパッケージの変形や破損を助長するという問題がある。
【０００５】
本発明は、上記実情に鑑みて為されたものであって、タグ部を切り離してもその部分が開口せず、前記タグ部の捕捉が容易でありながら、他の物体との干渉による意図せぬ分断やパッケージ自体の変形や破損を防止し得る構造を持った包装用箱及びそのブランクシートの提供を目的とする。
【課題を解決するための手段】
【０００６】
上記課題を解決すべく為された本発明による包装用箱は、複数の仕切面に囲まれた閉鎖空間を備える包装用箱であって、前記複数の仕切面のいずれかに開封部を備え、前記複数の仕切面のいずれかに連続し当該仕切面との境界線で折り返されて当該仕切面の裏側に重合する目隠し片を備え、前記目隠し片と重合する仕切面に当該仕切り面と前記目隠し片との境界線を始端とするタグ部を一体的に備え、前記タグ部の周囲に切込を備えることを特徴とする。
【０００７】
上記課題を解決すべく為された本発明による包装用箱のブランクシートは、閉鎖空間を構成する複数の仕切面と、前記複数の仕切面のいずれかに連続し当該仕切面との境界線で折り返されて当該仕切面の裏側に重合する目隠し片と、前記目隠し片の前記境界線側の内面（組み上げた際に前記閉鎖空間に面する面）に貼着される糊代片を備え、前記目隠し片と重合する仕切面に当該仕切り面と前記目隠し片との境界線を始端とするタグ部を一体的に備え、前記タグ部の周囲に切込を備えることを特徴とする。
【０００８】
尚、前記包装用箱又はそのブランクシートのいずれにあっても、前記目隠し片と当該目隠し片に連続する仕切面との境界部に、前記境界線と交差し且つ前記仕切面又は前記目隠し片に向けて凸となる弓状切込を、当該タグ部の周囲の切込の一部として備える構成を採ることができる。
【発明の効果】
【０００９】
本発明による包装用箱及びそのブランクシートによれば、タグ部を備える仕切片に続いて当該仕切片に重合する目隠し片を備えたことで、タグを切り離したとしても、その領域が開放してしまうことがなく、内容物を露出することなく収容し続けることができる他、前記タグ部を切り離した後にあっても、当該箱体の十分な保形強度を維持することができる。
また、更に、折曲げ線となる当該仕切り面と前記目隠し片との境界線を前記タグ部の始端とすることによって、前記タグ部の捕捉が容易でありながら、他の物体との干渉による意図せぬ分断やパッケージ自体の変形や破損を助長する構造の採用を回避することができる。
【図面の簡単な説明】
【００１０】
【図１】本発明による包装用箱の一例を示す斜視図である。
【図２】本発明による包装用箱の一例を示す斜視図である。
【図３】本発明による包装用箱の一例を示す（Ａ）：正面図及び（Ｂ）：背面図である。
【図４】本発明による包装用箱の一例を示す（Ａ）：左側面図及び（Ｂ）：右側面図である。
【図５】本発明による包装用箱の一例を示す（Ａ）：平面図及び（Ｂ）：底面図である。
【図６】本発明による包装用箱のブランクシートの一例を示す（Ａ）：右側面図、（Ｂ）：平面図、（Ｃ）：正面図（背面図）、（Ｄ）：底面図及び（Ｅ）：左側面図である。
【発明を実施するための形態】
【００１１】
以下、本発明による包装用箱の実施の形態を、そのブランクシートの実施の形態と共に詳細に説明する。
本発明による包装用箱は、複数の仕切面に囲まれた閉鎖空間を備える包装用箱であって、前記複数の仕切面のいずれかに、包装用箱を開封し内容物を取り出し得る措置が施された開封部を備え、前記複数の仕切面のいずれかに連続し当該仕切面との境界線αで折り返されて当該仕切面又は当該仕切面を含み連続する複数の仕切面の裏側に重合する目隠し片１を備え、前記目隠し片１と重合する仕切面に当該仕切り面と前記目隠し片１との境界線αを始端とするタグ部Ｔを一体的に備え、前記タグ部Ｔの周囲に切込Ｓを備えるものである。
【００１２】
一方、上記包装用箱のブランクシートは、閉鎖空間を構成する複数の仕切面と、前記複数の仕切面のいずれかに連続し当該仕切面との境界線αで折り返されて当該仕切面又は当該仕切面を含み連続する複数の仕切面の裏側に重合する目隠し片１と、前記目隠し片１の前記境界線α側の内面に貼着される糊代片２を備え、前記目隠し片１と重合する仕切面に当該仕切り面と前記目隠し片１との境界線αを始端とするタグ部Ｔを一体的に備え、前記タグ部Ｔの周囲に切込Ｓを備えるものである。
【実施例】
【００１３】
[ブランクシート]
図６に示すブランクシートは、直方体状の包装用箱を形作るものであって、箱体の側方を封じる側部Ａ、当該側部Ａを筒状に保形する糊代片２、前記側部Ａで仕切られる箱体の上下を封じる天部Ｂ及び底部（下仕切面）Ｃ並びに前記糊代片２の表側に重合する前記目隠し片１を連結して備える。
【００１４】
前記側部Ａは、後側面３、左側面４、前側面５、及び右側面６からなる四側面（四仕切面）を一列に連続して備える。
当該例では、前記後側面３と前記前側面５及び前記左側面４と前記右側面６は、大きさと形が略等しい方形状である。
【００１５】
前記糊代片２は、前記四側面で構成される列の一端（図６の例では後側面３の端）から延出する態様で形作り、前記目隠し片１は、前記四側面で構成される列の他端（図６の例では右側面６の端）から延出する態様で形作る。
前記目隠し片１は、当該ブランクシートを組み立てた際に前記タグ部Ｔの全域を覆う目隠し部１ａを備え、且つ前記目隠し片における前記タグ部Ｔを避けた領域（特に開封位置の周辺領域）に糊付け部１ｂを備える。
前記糊代片２は、前記目隠し片１の前記境界線α側の内面に貼着される台形状の糊付け部２ａと、前記右側面６及び前記目隠し片１の外側へ僅かに張り出す保護部２ｂを備える。常時開閉されない前記底部Ｃの近傍は、切り欠いた形状としてもよい。
【００１６】
前記目隠し片１は、当該目隠し片１と重合する側面（この例では右側面６）よりも寸法の小さい方形状に裁断する。
前記タグ部Ｔを切り取った後の強度を確保するには、前記目隠し片１と相重なる側面とのサイズ差はできるだけ少ないことが望ましい。場合によっては、前記目隠し片１に、前記タグ部Ｔの形成及び前記糊付け部１ｂを確保する支障とならない程度に適宜ブランク（孔など）を設けても良い。
【００１７】
この例の前記タグ部Ｔは、当該右側面６と前記目隠し片１との境界線αに沿って形成された前記弓状切込ＡＳを始端とし、当該境界線αに対して直角方向へ、前記右側面６の中央部を当該右側面６の幅方向へ延びる長方形状に形成される。
前記タグ部Ｔは、前記目隠し片１と当該目隠し片１に連続する右側面６との境界部に、前記境界線αを中心線として交差し且つ前記目隠し片１に向けて凸となる弓状切込ＡＳを、当該タグ部Ｔの周囲の切込Ｓの一部（前記タグ部Ｔの始端）として備える。
【００１８】
当該弓状切込ＡＳは、前記右側面６から前記境界線αを介して隣接する前記目隠し片１へ連なって設けることによって、前記境界線αを前記折曲げ線として折曲げた際、前記弓状切込ＡＳで切り出された凸部Ｔ１が浮き上がり、前記タグ部Ｔを切り離す際の手掛かりとなる（例えば図１（Ａ）、図２（Ａ）又は図４（Ｂ）参照）。
【００１９】
前記弓状切込ＡＳは、前記境界線αからの突出量として前記保護部２ｂの張出幅未満の量を設定する。
当該弓状切込ＡＳの長さ（前記境界線αに沿う上下方向の長さ）は、前記手掛かりとしての機能を果たす長さとすればよい。
この例では、前記弓状切込ＡＳを前記目隠し片１に向けて凸としているので、前記タグ部Ｔを剥離する際の手掛かりが前記目隠し片１の表面から浮き上がるが、仮に、前記弓状切込ＡＳを前記右側面６に向けて凸とすれば、前記手掛かり（前記タグ部Ｔの始端）が前記目隠し片１に密着するものの、前記手掛かりの前方に、爪先を差し入れ得る程度のサイズで、そのブランクシートの厚み程度の深さの弓状の陥没が生じる。
【００２０】
前記タグ部Ｔを囲む切込Ｓは、二列の間欠切込を互い違いに並設してなる複切込ｍと、一列の間欠切込からなる単切込ｓとで構成される。
前記タグ部Ｔを囲む切込Ｓは、上下辺の中間部の大部分を前記複切込ｍとし、左右両端部を単切込ｓとし、前記弓状切込ＡＳにあっては、全域にわたって一連の単切込ｓとする。
【００２１】
前記複切込ｍは、二列の間隔を、当該ブランクシートの紙厚に略等しく設定することによって（例えば紙厚に対して０．５ｍｍ程度増減した幅）、輸送時や積上げ時に破断が生じ難く、破断時にあっては、容易に且つ見た目良く破断できることとなる。
【００２２】
前記後側面３は、前記側面部Ａで仕切られる箱体の開口部を封じるために、前記後側面３の上端縁に前記天部Ｂを構成する蓋片（上仕切面）７を備え、下端縁に沿って前記底部Ｃを構成する下封止片８を備える。
前記蓋片７は、前記側面部Ａで仕切られる箱体の開口部に、前記前側面５に沿って差し入れる差込片１４を、当該蓋片７の先端縁に沿って備える。前記差込片１４は、前記箱体の開口部への差し入れを容易にすべく、前記差込片１４の先端部を滑らかな先細りに成形することが望ましい。
【００２３】
前記前側面５は、その下端縁に沿って前記底部Ｃを構成する下封止片９を備える。前記差込片１４を前記前側面５に糊付けする場合には、その上端中間部を分断する開封破断線（図示省略）を設けてもよい。
前記開封破断線は、例えば、前記前側面５の上縁中間部から当該前側面５の中央に向けて指先サイズの逆台形状に切り込まれたミシン目であり、当該開封破断線に囲まれたエリアに貫入部を形成する。
【００２４】
前記下封止片８，９は、前記後側面３及び前記前側面５の下端縁から延出する。
前記下封止片８，９は、その先端の片側半分に、前記下端縁と平行な差込縁βを備え、前記先端の他の半分に、前記下端部と平行な係り縁γを備える。
【００２５】
前記後側面３及び前記前側面５の下端縁から各々延出する前記下封止片８，９の前記係り縁γから各下端縁に至る長さは、前記左側面４及び前記右側面６の奥行き（全幅）の半分に相当する長さに設定し、前記差込縁βから各下端縁に至る長さは、それよりも十分長く且つ前記左側面４及び前記右側面６の奥行き（全幅）未満とする。
前記係り縁γは、前記他の半分の前記差込縁β寄りに位置し、残る領域に、三角形状の底糊代１５，１６を延設する。当該底糊代１５，１６の先端は、前記差込縁βの延長線上に配置する様に成形する。
ブランクシートの状態で、前記前側面５及び前記後側面３について下端縁の左右同じ側に前記差込縁βを配置することによって、組み立てた際に、双方の差込縁β，βが食い違うこととなる。
【００２６】
前記左側面４と前記右側面６は、開口部に向けて屈曲する左右フラップ１０，１１，１２，１３を、各々の上下端縁に沿って備える。
前記左側面４と前記右側面６の上縁から延出する各フラップ１０，１１は、各々台形状であり、前記左側面４と前記右側面６の下縁から延出する各フラップ１２，１３は、各々三角形状である。各フラップ１０，１１，１２，１３は、前記後側面３及び前記前側面５の幅に対して、各々略半分未満の長さとする。
【００２７】
[組み立て]
前記ブランクシートの組み立て（立体化）は、先ず、前記目隠し片１を前記右側面６に接着する折重ね行程を行う。この際、両者の接着は、前記タグ部Ｔを避けて糊を塗布することにより行う。
続いて、前記ブランクシートの前記糊代片２、前記後側面３、前記左側面４、前記前側面５及び前記右側面６を各々の境界において夫々同じ方向へ直角に折り曲げ、前記糊代片２の糊付け部２ａに糊を塗布し、前記目隠し片１の前記境界線α側の内面と接着し筒状の箱体を形成する立体化行程を行う。
【００２８】
次に、当該箱体の前記左側面４及び前記右側面６の下端縁から延出する前記左フラップ１２及び前記右フラップ１３を当該箱体の下開口部に向けて略直角に折り、前記後側面３及び前記前側面５の下端縁から延出する前記下封止片８，９を、それぞれ前記左フラップ１２及び前記右フラップ１３の上に向けて略直角に折重ね、両下封止片８，９の前記底糊代１５，１６を相互に相手方の表側に残し、両下封止片８，９の前記差込縁β，βのみを、相手方の前記係り縁γ側から、前記底糊代１６，１５並びに前記右フラップ１３又は前記左フラップ１２の裏側へ差し入れ、且つ箱体の直方体形状を維持する様に、前記左フラップ１２及び前記右フラップ１３とそれらの表側に重なる前記底糊代１５，１６を糊で接着する下封鎖行程を行う。
当該下封鎖行程によって、底部Ｃが形成される（図５（Ｂ）参照）。
【００２９】
内容物の充填を経て、最後に、前記左側面４及び前記右側面６の上端縁から延出する左フラップ１０及び右フラップ１１を上開口部に向けて略直角に折り、前記後側面３の上端縁から延出する前記蓋片７を前記左フラップ１０及び右フラップ１１の上に向けて略直角に折り重ね、前記蓋片７の端縁から延出する前記差込片１４を前記前側面５に沿って差し入れて糊付けし当該箱体を封鎖する（図５（Ａ）参照）。
以上を以って、内容物が充填され封鎖された包装用箱が完成する。
上記組立方法によれば、上記ブランクシートを前記自動充填機に掛けることができる。
【００３０】
[開封]
上記の如く封鎖された包装用箱は、前記前側面５と前記差込片１４の隙間へ指先を差し入れ、前記蓋片７を引き上げることによって、当該蓋片７が後方へ起立する状態で開封される。
【００３１】
[タグ部の切り離し]
前記包装用箱によれば、前記タグ部Ｔは、前記凸部Ｔ１を爪先や指先などに引っ掛けてその近傍を前記箱体の表面から浮き上がらせ、浮き上がった部分を指先で摘んで引き剥がすことによって、当該タグ部Ｔ周囲の切込Ｓが破断し、箱体を構成する側面から容易に切り離すことができる（図１（Ｂ）又は図２（Ｂ）参照）。
前記弓状切込ＡＳを前記右側面６に向けて凸とした場合には、前記手掛かりの前方に生じた弓状の陥没に爪先を差し入れて前記タグ部Ｔの始端を引き上げ、浮き上がった部分を指先で摘んで引き剥がすことができる。
【００３２】
いずれの場合にあっても、前記右側面６と前記目隠し片１との境界に達する切込を一連の切込とすることによって、前記凸部Ｔ１の引き上げが容易となり、側面の最も中央寄りに設ける切込として、前記複切込ｍを採用することによって、想定外の破断を防止する効果を得つつ、必要に応じた破断が容易で見栄えの良いものとなる。
【００３３】
切り離された前記タグ部Ｔは、内容物情報を記した表示部が一見で目視できる短冊状のタグとなる（図１（Ｂ）又は図２（Ｂ）参照）。
前記箱体は、前記タグ部Ｔが離脱した部分が欠け、前記目隠し片１の前記目隠し部１ａが露出するものの、内容物の露出は回避できる。そして、前記目隠し部１ａの表面に離脱した部分と等しい図柄等の印刷をしておけば、離脱後の体裁も良好となる。
【００３４】
尚、この発明は上記実施例に限定されるものではなく、前記タグ部Ｔの形態や数又は前記側部Ａ、前記天部Ｂ若しくは前記底部Ｃの構成などを、適宜変更することが可能である。
包装用箱の材質は、紙やプラスチック等、自由に選択可能である。折曲げ線や切込の形状は、材質や機能や位置に合わせて変更可能である。
また、前記タグ部Ｔは、包装用箱を構成する面の単一面に限るものではなく、単一面の面積で不足する場合には、連続する複数の側面に亘る前記目隠し片１を設けることも可能である。
【符号の説明】
【００３５】
α  境界線，β  差込縁，γ  係り縁，
ｍ  複切込，ｓ  単切込，
Ａ  側部，Ｂ  天部，Ｃ  底部，
Ｔ  タグ部，Ｔ１  凸部，Ｓ  切込，ＡＳ  弓状切込，
１  目隠し片，１ａ  目隠し部，１ｂ  糊付け部，
２  糊代片，２ａ  糊付け部，２ｂ  保護部，
３  後側面，４  左側面，５  前側面，６  右側面，７  蓋片，
８  下封止片（後），９  下封止片（前），
１０  左フラップ（上），１１  右フラップ（上），
１２  左フラップ（下），１３  右フラップ（下），
１４  差込片，
１５  底糊代（後），１６  底糊代（前），
【図１】
2016043928.tif 000003
【図２】
2016043928.tif 000004
【図３】
2016043928.tif 000005
【図４】
2016043928.tif 000006
【図５】
2016043928.tif 000007
【図６】
2016043928.tif 000008